(57)【特許請求の範囲】
【請求項１】
拡布されて搬送される布帛（１１）に対して面接触する底板（１２）と、その底板から連続していて布帛に対して起立した正面板（１３）とを有し、底板から正面板へと連続した溝孔（１４）が、底板に面接触して搬送される布帛の幅方向に所要の間隔をもって複数条設けられており、その溝孔の底板に設けられた部分（１５）が、底板に面接触して搬送される布帛の搬送方向に平行な長溝孔になっていることを特徴とするドクター。
【請求項２】
前掲請求項１に記載の正面板（１３）には長溝孔（１５）から続く縦溝孔（３０）が設けられており、正面板の布帛に対する起立方向に正面板に摺接して摺動可能に、長溝孔（１５）から続く縦溝孔（３０）の高さ（Ｈ）を調整する調整板（１６）が正面板（１３）に設けられていることを特徴とする前掲請求項１に記載のドクター。
【請求項３】
前掲請求項１および請求項２に記載のドクターが外側ドクター（Ａ）と内側ドクター（Ｂ）との二重構造になっており、外側ドクター（Ａ）の底板（１２Ａ）と内側ドクター（Ｂ）の底板（１２Ｂ）、および、外側ドクター（Ａ）の正面板（１３Ａ）と内側（ドクターＢ）の正面板（１３Ｂ）が、それらに設けられた長溝孔（１５）の長さ方向に直交する方向に摺動可能に面接触していることを特徴とする前掲請求項１又は請求項２に記載のドクター。
【発明の詳細な説明】
【０００１】
【発明の属する技術分野】
本発明は、盛り上がった畝が縞模様状に形成されるように樹脂組成物を布帛に塗布するドクター、特に、防滑性を有する盛り上がった畝が縞模様状に形成されるように樹脂組成物を敷物や敷物裏打基布に塗布するドクターに関するものである。
【０００２】
【従来の技術】
布帛に樹脂組成物を塗布して盛り上がった畝を縞模様状に形成する方法としては、刃先の一部を鋸歯状に切欠して形成した切欠き付きドクターを用いるドクター法と、発泡性樹脂組成物を縞模様状にプリントして加熱発泡させて隆起させるプリント法が知られている。
【０００３】
【発明が解決しようとする課題】
ドクター法によると、ドクター刃先の切欠された部分からは、その切欠きのない直線状の刃先部分よりも、その切欠されて出来た隙間の分だけ、布帛に樹脂組成物が多量に塗布され、その切欠されて出来た隙間に相応する高く盛り上がった畝が布帛の塗布面に形成される。同時に、切欠きのない直線状の刃先部分からは、切欠きのない通常のドクターの場合と同様に、樹脂組成物が布帛に塗布される。このため、切欠き付きドクターを用いると、布帛の全面に樹脂組成物が積層される。
しかし、ストライプ状に形成される畝と畝の間は、樹脂組成物が積層されない布帛の生地のままに残しておきたい場合もある。
【０００４】
特に、床面に置き敷き使用される敷物の滑り止めのため、その裏面に直接、または、敷物に裏打ちする裏打基布に塗布される防滑性樹脂組成物はタック性を帯びた塗膜を形成するので、その防滑性樹脂組成物によって裏面に防滑性畝を形成した敷物では、その防滑性畝のみならず畝と畝の間を含む裏面全体が、塵埃が固着して汚れが目立ち易くなる。特に、防滑性畝と防滑性畝の間の部分では、樹脂組成物の塗膜が薄く、布帛の生地が透けて見えるので、そこに塵埃が付着すると汚れとして目立ち易くなる。
従って、敷物の裏面に防滑性畝を塗布形成する場合は、その防滑性畝と防滑性畝との間の部分には樹脂組成物を塗布せず、生地のままに残すことが望まれる。
【０００５】
その場合には、プリント法によって、防滑性畝を形成すべき箇所にだけ防滑性樹脂組成物を塗着することになる。しかし、グラビアロール等から布帛へと瞬間的に転写される樹脂組成物は塗着時に布帛に馴染み難い。特に、高く盛り上がった防滑性畝を形成するには、布帛に滲み込まないように充分に増粘し、また、発泡して高く隆起するように発泡剤を配合して防滑性樹脂組成物を調製せざるを得ず、その結果、防滑性畝の布帛に対するアンカリングが充分でなく、置き敷き使用中に擦られて剥離脱落し易いものとなる。
【０００６】
【発明の目的】
そこで本発明は、床面に置き敷き使用する敷物裏面に、直接または裏打基布を介して、防滑性樹脂組成物による防滑性畝を、畝と畝の間を生地のまま残して強固に塗布形成することを目的とする。
【０００７】
【課題を解決するための手段】
本発明に係るドクターは、拡布されて搬送される布帛１１に対して面接触する底板１２と、その底板１２から連続していて布帛１１に対して起立した正面板１３とを有し、底板１２から正面板１３へと連続した溝孔１４が、底板１２に面接触して搬送される布帛１１の幅方向に所要の間隔をもって複数条設けられており、その溝孔１４の底板１２に設けられた部分（１５）が、底板１２に面接触して搬送される布帛１１の搬送方向に平行な長溝孔１５になっていることを第１の特徴とする。
【０００８】
本発明に係るドクターの第２の特徴は、上記第１の特徴に加えて、正面板１３には長溝孔１５から続く縦溝孔３０が設けられており、正面板１３に摺接して、その正面板１３の布帛１１に対する起立方向に摺動可能に、長溝孔１５から続く縦溝孔３０の高さＨを調整する調整板１６が正面板１３に設けられていることにある。
【０００９】
本発明に係るドクターの第３の特徴は、上記第１または第２の何れかの特徴に加えて、ドクターが外側ドクターＡと内側ドクターＢとの二重構造になっており、外側ドクターＡの底板１２Ａと内側ドクターＢの底板１２Ｂ、および、外側ドクターＡの正面板１３Ａと内側ドクターＢの正面板１３Ｂが、それらに設けられた長溝孔１５の長さ方向に直交する方向に摺動可能に面接触していることにある。
【００１０】
【発明の実施の形態】
ドクターは、拡布されて搬送される布帛１１に対して面接触する底板１２と、その底板１２から連続していて布帛１１に対して起立した正面板１３とを有し、底板１２から正面板１３へと連続した溝孔１４が、底板１２に面接触して搬送される布帛１１の幅方向に所要の間隔をもって複数条設けられており、その溝孔１４の底板１２に設けられた部分（１５）が、底板１２に面接触して搬送される布帛１１の搬送方向に平行な長溝孔１５になっている。底板１２と正面板１３との稜線部分１７は、それらの間が彎曲して続く曲面になっていてもよい。
図１と図２に図示するドクターは、内側ドクターＢと外側ドクターＡとによって二重ボックス型に形成されている。
外側ドクターＡの底板１２Ａと内側ドクターＢの底板１２Ｂ、および、外側ドクターＡの正面板１３Ａと内側ドクターＢの正面板１３Ｂは、それらに設けられた長溝孔１５の長さ方向に直交する方向に摺動可能に面接触している。
【００１１】
外側ドクターＡの側板１８Ａ・１９Ａと内側ドクターＢの側板１８Ｂ・１９Ｂの間にはスペースが設けられている。その左右一方のスペースにはハンドル２０によって駆動されるカム２１が設けられており、他方のスペースにはカム２１に対抗して内側ドクターの側板１９Ｂを付勢するバネ２２が設けられている。
ハンドル２０を回すときは、カム２１によって内側ドクターＢがバネ２２に対抗する方向に駆動されて外側ドクターＡと内側ドクターＢの溝孔１４が上下に重なり、そのハンドル２０を戻すと逆方向にバネ２２に駆動されて外側ドクターＡと内側ドクターＢの溝孔１４が内外何れか一方のドクターの底板１２と正面板１３に重なって閉じられるようになっている。
【００１２】
内側ドクターの正面板１３Ｂと背面板２３Ｂには、長溝孔１５に直交する方向に長く続く長孔２４がそれぞれ開けられており、それらの長孔２４には、外側ドクターＡの正面板１３Ａと背面板２３Ａの外側からそれぞれ押し込まれたフック２５の先端が嵌合するようになっている。
このため、外側ドクターＡと内側ドクターＢとは、これらの長孔２４とフック２５に導かれて、密着した状態で長溝孔１５と直交する方向に摺動することになる。
また、外側ドクターＡと内側ドクターＢの間では、フック２５を取り外すと相互にフリーの状態になり、両者を分離することが出来る。
【００１３】
樹脂組成物は、ラテックス樹脂エマルジョンに充填剤や安定剤、架橋剤、顔料、そして必要に応じて発泡剤等を配合して調製され、正面板１３と背面板２３を左右側板１８・１９に囲まれた内側ドクターＢの内部スペース２６に投入され、内外重なり合った内外のドクターの溝孔１４から布帛１１へと吐出されるようにして塗布される。
図示するドクターでは、内側ドクターの正面板に調整板が取り付けられているが、調整板は外側ドクターの正面板の外側に取り付けてもよい。
【００１４】
調整板１６には、底板１２に垂直な長孔２７が設けられており、その長孔２７に正面板から突き出たナット２８が嵌合し、ボルト締めをすると、調整板１６は正面板１３に固定される。裏打基布１１としては、織物、編物、不織布等の全ての布帛を使用することが出来、畝３１の塗布形成された裏打基布は、敷物裏面に貼り合わせて使用される。
【００１５】
調整板１６は、樹脂組成物の塗布過程で間欠的に昇降駆動することも出来、そうすることによって畝３１の長さ方向に凹凸を付けることも出来る。
その場合、調整板１６を各溝孔毎（１４）に分割し、その分割された一部の調整板だけを間欠的に昇降駆動してもよい。
また、布帛１１の幅方向に所要の間隔をもって設けられる複数条の溝孔１４の幅を変え、太い畝３１と細い畝３１が交互に並んだ、或いは、一定のリピートをもって数条毎に入れ替わって並んだ縞模様を描出することも出来る。
従って、溝孔１４の幅を変え、且つ、調整板１６を分割して一部の調整板１６だけを間欠的に昇降駆動し、太い畝３１と細い畝３１、および、凹凸のある畝３１と凹凸のない畝３１が一定のリピートをもって配列して縞模様の立体感を高めることも出来る。
【００１６】
ドクターは、図１と図２に図示する二重ボックス型のものに限定されず、底板から正面板へと折れ曲がって続くＬ形断面を成すものであってもよく、また、頻繁に切る替えることなく、長尺の布帛に樹脂組成物を連続して塗布するドクターでは、図１と図２に図示する如く内側ドクターと外側ドクターによって二重に構成することは必ずしも必要とされない。図中、２９は、布帛１１を支えるアンダーベッドである。
【００１７】
【発明の効果】
本発明（請求項１）のドクターでは、樹脂組成物が、底板１２の長溝孔１５の隙間を通り、長溝孔１５の長さに相応する一定の時間布帛１１に触れ、その間に一部の樹脂組成物が布帛１１に滲み込み、その後縦溝孔３０の上端部に掻き取られるようにして塗布されるので、高粘度に調製されていても布帛１１によく馴染み、その塗着して形成する畝３１は、布帛１１に確り固着して剥離し難いものとなる。
【００１８】
そのように樹脂組成物を高粘度に調製して塗布することが出来るので、正面板１３に設けられて長溝孔１５から続く溝孔１４の部分（縦溝孔３０）から布帛１１に塗着して引き出される畝３１の幅は、樹脂組成物が固化するまでに左右に拡がり難く、縦溝孔３０の高さＨに応じた高い畝３１を形成することが出来る。
【００１９】
また、そのように高く剥離し難い畝３１を形成することが出来、従って、高い畝３１を形成するために樹脂組成物を大きく発泡させる必要がないので、敷物や敷物裏打基布に防滑性樹脂組成物を塗布するときは、防滑性に優れ、耐久性に富み、そして、畝３１と畝３１の間が生地３２のままに残されるので、汚れ難い防滑性敷物を得ることが出来る。
【００２０】
本発明（請求項２）によると、調整板１６を昇降させて縦溝孔３０の高さＨを調整して畝３１の高さを加減することが出来、また、樹脂組成物の塗布過程で調整板１６を間欠的に昇降駆動して畝３１の長さ方向に凹凸を付けることも出来、そうすることによって畝３１が布帛１１の外面に描出する縞模様の美観を高め、デザイン的にも優れた敷物や敷物裏打基布、内装布帛（１１）等を得ることが出来る。
【００２１】
本発明（請求項３）によると、外側ドクターＡと内側ドクターＢの一方または双方が移動して双方の溝孔１４が上下に重なるときは樹脂組成物が布帛１１に塗布可能となり、双方の溝孔１４が上下に重ならないときは正面板１３Ａ（正面板１３Ｂ）と背面板２３Ａ（背面板２３Ｂ）に塞がれて樹脂組成物が布帛１１に付着しない。
従って、塗布作業の開始と同時に溝孔１４を開き、塗布作業の終了時にそれを塞ぐことが出来、その開始や終了時前後に樹脂組成物がドクターから垂れ落ちてロスとなることがなく、従って、塗布作業の切替を短時間で行うことが出来、また、ドクターをコンパクトな二重ボックス型にして持ち運んで小サイズの敷物（マット）一枚一枚に防滑性畝３１を塗布形成することも可能となる。
その場合、当然のことながら、重なり合って溝孔１４を塞ぐ正面板１３Ａ（正面板１３Ｂ）や背面板２３Ａ（背面板２３Ｂ）の隣合う溝孔１４と溝孔１４の間の寸法は、その重なり合う溝孔１４の幅よりも広くし、外側ドクターＡと内側ドクターＢとの相対的移動距離は、溝孔１４の幅以上にする。
【００２２】
このように本発明は、敷物や裏打基布に防滑性畝を塗布形成するとき、或いは、内装材の表面に起伏のある縞模様を塗布形成するとき、頗る好都合である。
【図面の簡単な説明】
【図１】本発明に係るドクターの斜視図である。
【図２】本発明に係るドクターの要部斜視図である。
【符号の説明】
１１  布帛（敷物、裏打基布）
１２  底板
１３  正面板
１４  溝孔
１５  長溝孔
１６  調整板
１７  稜線部分
１８  側板
１９  側板
２０  ハンドル
２１  カム
２２  バネ
２３  背面板
２４  長孔
２５  フック
２６  内部スペース
２７  長孔
２８  ナット
２９  アンダーベッド
３０  縦溝孔
３１  畝
３２  生地
Ａ    外側ドクター
Ｂ    内側ドクター
Ｈ    縦溝孔の高さ
【図１】
0004051494.tif 000002
【図２】
0004051494.tif 000003